【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
ＤＣ電源システムのアーク放電を検出する方法であって、当該ＤＣ電源システムは、ホームランケーブルに提供されかつ負荷に接続された複数の電流出力を含むものであり、前記方法は、
複数の電流センサ、比較器およびプロセッサを含むアーク故障検出器を用意し、
前記複数の電流センサを前記複数の電流出力に接続し、各電流出力でのＤＣ電源システム内を流れる複数の電流をセンスし、
前記複数の電流センサにより、ＤＣ電源システム内をそれぞれ流れる複数の電流に関連する複数の電流信号を決定し、
前記複数の電流信号を結合し、結合された電流信号を前記比較器へ提供し、
時間（ｄｉ／ｄｔ）での前記結合された電流信号の少なくともひとつの変化に応答して、前記比較器により１つもしくは複数のパルスを発生させ、各パルスは関連する持続時間を有し、ＤＣ電源システム内でのアーク放電の存在を決定するために前記プロセッサにより各パルスを処理し、
各パルスを処理することは、
少なくとも１つの予め決められた時間間隔のパルス数をカウントし、前記予め決められた時間間隔についてのパルスカウントを提供し、
前記予め決められた時間間隔の各パルスの持続時間の変動を測定し、
前記パルスカウントに対する各パルスの持続時間の変動の第１の比を計算し、
前記第１比の少なくとも一部に基づきＤＣ電源システム内のアーク放電の存在を判定し、
前記判定されたＤＣ電源システムのアーク放電の存在をもって、ＤＣ切断スイッチにより、ＤＣ電源システム内のアーク放電を区別するために前記複数の電流出力を前記負荷から切断する、方法。
【請求項２】
アーク放電の存在の判定は、前記第１の比が第１の特定の閾値を超えることの判定を含む、請求項１に記載の方法。
【請求項３】
前記パルス数のカウントは、複数の予め決められた時間間隔の各パルス数のカウントを含み、各予め決められた時間間隔についてのパルス数を提供し、さらに各パルスの持続時間の変動の測定は、各予め決められた時間間隔の各パルスの持続時間の変動の測定を含む、請求項１に記載の方法。
【請求項４】
前記第１の比の計算は、各予め決められた時間間隔の後に前記パルスカウントの平均を計算すること、各予め決められた時間間隔の後に各パルスの持続時間の変動の平均を計算すること、および各パルスの持続時間の変動の平均と前記パルスカウントの平均に基づき前記第１の比を計算することを含む、請求項３に記載の方法。
【請求項５】
方法はさらに、前記予め決められた時間間隔における各パルスの持続時間の変調を前記プロセッサにより測定することを含む、請求項１に記載の方法。
【請求項６】
方法はさらに、各パルスの持続時間の変調に対する各パルスの持続時間の変動の第２の比を前記プロセッサにより計算することを含む、請求項５に記載の方法。
【請求項７】
前記アーク放電の存在の判定は、前記第１の比及び前記第２の比の少なくとも一部に基づきＤＣ電源システムのアーク放電の存在を判定することを含む、請求項６に記載の方法。
【請求項８】
前記アーク放電の存在の判定は、前記第１の比が第１の特定された閾値を超えることの判定、および前記第２の比が第２の特定された閾値を超えることの判定を含む、請求項７に記載の方法。
【請求項９】
前記各パルスの持続時間の変動の測定は、複数の予め決められた時間間隔についての各パルスの持続時間の変動の測定を含み、さらに前記各パルスの持続時間の変調の測定は、前記複数の予め決められた時間間隔についての各パルスの持続時間の変調の測定を含む、請求項６に記載の方法。
【請求項１０】
前記第２の比の計算は、各予め決められた時間間隔の後に各パルスの持続時間の変動の平均を計算すること、各予め決められた時間間隔の後に各パルスの持続時間の変調の平均を計算すること、および各パルスの持続時間の変動の平均と各パルスの持続時間の変調の平均に基づき前記第２の比を計算することを含む、請求項９に記載の方法。
【請求項１１】
方法はさらに、前記予め決められた時間間隔についてのパルスカウントの変動を前記プロセッサにより測定することを含む請求項６に記載の方法。
【請求項１２】
方法はさらに、前記パルスカウントに対するパルスカウントの変動の１つまたは複数の第３の比と、各パルスの持続時間に対する各パルスの持続時間の変動の第４の比を前記プロセッサにより計算することを含む、請求項１１に記載の方法。
【請求項１３】
前記アーク放電の存在の判定は、前記第１の比、１つもしくは複数の前記第２の比、前記第３の比、および前記第４の比の少なくとも１部に基づきＤＣ電源システムのアーク放電の存在を判定することを含む、請求項１３に記載の方法。
【請求項１４】
前記アーク放電の存在の判定は、前記第１の比が第１の特定された閾値を超えることの判定、前記第２の比が第２の特定された閾値を超えることの判定、前記第３の比が第３の特定された閾値を超えることの判定、および前記第４の比が第４の特定された閾値を超えることの判定を含む、請求項１３に記載の方法。
【請求項１５】
前記アーク放電の存在の判定はさらに、前記パルスカウントが第５の特定された閾値を超えることの判定、および各パルスの持続時間が第６の特定された閾値を超えることの判定を含む、請求項１４に記載の方法。
【請求項１６】
前記パルスカウントの変動の測定は、複数の予め決められた時間間隔についてのパルスカウントの変動の測定を含み、さらに前記各パルスの持続時間の変動の測定は、前記複数の予め決められた時間間隔についての各パルスの持続時間の変動の測定を含む、請求項１５に記載の方法。
【請求項１７】
前記第３の比の計算は、各予め決められた時間間隔の後にパルスカウントの変動の平均を計算すること、各予め決められた時間間隔の後にパルスカウントの平均を計算すること、および前記パルスカウントの変動の平均と前記パルスカウントの平均に基づき前記第３の比を計算することを含む、請求項１６に記載の方法。
【請求項１８】
前記第４の比の計算は、各予め決められた時間間隔の後に各パルスの持続時間の変動の平均を計算すること、各予め決められた時間間隔の後に各パルスの持続時間の平均を計算すること、および各パルスの持続時間の変動の平均と各パルスの持続時間の平均に基づき前記第４の比を計算することを含む、請求項１７に記載の方法。
【請求項１９】
ＤＣ電源システムのアーク放電を検出するシステムであって、当該ＤＣ電源システムは、ホームランケーブルに提供されかつ負荷に接続された複数の電流出力を含むものであり、複数の電流がＤＣ電源システム内の各電流出力に流れるものであり、前記システムは、
前記複数の電流出力の各々に接続可能な複数の電流センサであって、当該複数の電流センサは、ＤＣ電源システム内を流れる複数の電流に関連する複数の電流信号をそれぞれ決定するように動作し、かつ前記複数の電流センサは、結合された電流信号を提供するために複数の電流信号を結合するように構成されかつ配置される、前記複数の電流センサと、
時間（ｄｉ／ｄｔ）の前記結合された電流信号の少なくとも１つの変化に応答して１つまたは複数のパルスを発生させるように動作するコンパレータと、
ＤＣ電源システム内のアーク放電の存在を判定するために各パルスを処理するように動作するプロセッサであって、
少なくとも１つの予め決められた時間間隔のパルス数をカウントし、前記予め決められた時間間隔についてのパルスカウントを提供し、
前記予め決められた時間間隔の各パルスの持続時間の変動を測定し、
前記パルスカウントに対する各パルスの持続時間の変動の第１の比を計算し、
前記第１比の少なくとも一部に基づきＤＣ電源システム内のアーク放電の存在を判定する、前記プロセッサと、
ＤＣ電源システム内のアーク放電を区別するために前記複数の電流出力を前記負荷から切断するように動作するＤＣ切断スイッチと、
を含むシステム。